(57)【要約】      （修正有）【課題】タッチパネルを備えた端末において、利便性を下げることなく、カーソルを表示する。【解決手段】タッチパネルは表示部１２の一部として動作して画像を表示し、また操作部１３の一部として動作して接触を検知して入力を受け付ける。操作部１３は、タッチパネルが異なる２箇所の接触を検知した場合、タッチパネルが表示する画像の一部を指し示すカーソルをタッチパネルに表示させる。【選択図】図２
2015153239.tif 000002
【特許請求の範囲】
【請求項１】
画像を表示し、接触を検知して入力を受け付けるタッチパネルと、
前記タッチパネルが異なる２箇所の接触を検知した場合、前記タッチパネルが表示する前記画像の一部を指し示すカーソルを前記タッチパネルに表示させる操作部と、
を備えることを特徴とする携帯端末装置。
【請求項２】
前記操作部は、前記タッチパネルが異なる２箇所の接触を一定時間以上連続して検知した場合、前記カーソルを前記タッチパネルに表示させる
ことを特徴とする請求項１に記載の携帯端末装置。
【請求項３】
前記操作部は、前記タッチパネルが１箇所の接触を検知した後、当該箇所の接触を検知した状態で、他の１箇所の接触を検知した場合、前記カーソルを前記タッチパネルに表示させる
ことを特徴とする請求項１に記載の携帯端末装置。
【請求項４】
タッチパネルが、接触を検知して入力を受け付けるステップと、
前記タッチパネルが異なる２箇所の接触を検知した場合、前記タッチパネルが表示する画像の一部を指し示すカーソルを前記タッチパネルに表示させるステップと、
を含むことを特徴とする表示方法。
【請求項５】
タッチパネルが、接触を検知して入力を受け付けるステップと、
前記タッチパネルが異なる２箇所の接触を検知した場合、前記タッチパネルが表示する画像の一部を指し示すカーソルを前記タッチパネルに表示させるステップと、
をコンピュータに実行させるためのプログラム。
【発明の詳細な説明】
【技術分野】
【０００１】
本発明は、携帯端末装置、表示方法およびプログラムに関する。
【背景技術】
【０００２】
タッチパネルを実装し、画面をタッチすることで様々な操作を実現できる端末が普及している。端末に表示する情報によっては、指より幅のせまいタッチ反応領域が隣接していることがある。そのような場合、ユーザーが意図したタッチ領域とは別の領域にタッチしてしまうことがある。この課題を解決するために、画面上にカーソルを表示し、このカーソルを用いて項目を選択させる方法がある。
【０００３】
画面上にカーソルを表示する方法として、キーやマウスなどのデバイスを操作する方法や、カーソル表示のトリガとなるソフトボタンやメニュー項目を設けてそれを操作する方法や、タッチイベントを検出してカーソルを表示する方法が知られている。なお、タッチイベントを検出してカーソルを表示する方法では、タッチで項目を選択する操作と競合するため、レイアウトによって操作可能な場所が限定されていた。
【０００４】
通常の操作においては、項目を直接タッチする方がわかりやすく、また、１タッチですむので操作回数が少ないという利点がある。そのため、カーソルを表示して項目を選択する方法を用いるのは、必要なときのみに限定した方が望ましい。そこで、特許文献１に記載の技術では、タッチした指周辺のタッチ領域の面積などを端末が計算し、「タッチで選択できない」と判断した場合は自動的にカーソルを表示している。
【先行技術文献】
【特許文献】
【０００５】
【特許文献１】特開２００９−１９３４２３号公報
【発明の概要】
【発明が解決しようとする課題】
【０００６】
しかしながら、「タッチで選択できない」条件が、操作する人やレイアウトの配置によって異なるため、自動で判断した結果がユーザーにとって操作性の向上につながらない可能性がある。例えば、「タッチで選択できない」と判定されやすくした場合、熟練者にとっては１タッチで選択できる場合でもカーソルが表示されて２タッチが必要になり、利便性が下がる。また、例えば、「タッチで選択できない」と判定されにくくした場合、初心者にとってはタッチで選択できない場合でもカーソルが表示されないので、誤タッチしやすくなってしまい、利便性が下がる。
【０００７】
そこで、本発明の幾つかの態様は、利便性を下げることなく、カーソルを表示することができる携帯端末装置、表示方法およびプログラムを提供する。
【課題を解決するための手段】
【０００８】
本発明の幾つかの態様は、画像を表示し、接触を検知して入力を受け付けるタッチパネルと、前記タッチパネルが異なる２箇所の接触を検知した場合、前記タッチパネルが表示する前記画像の一部を指し示すカーソルを前記タッチパネルに表示させる操作部と、を備えることを特徴とする携帯端末装置である。
【０００９】
また、本発明の幾つかの態様は、タッチパネルが、接触を検知して入力を受け付けるステップと、前記タッチパネルが異なる２箇所の接触を検知した場合、前記タッチパネルが表示する画像の一部を指し示すカーソルを前記タッチパネルに表示させるステップと、
を含むことを特徴とする表示方法である。
【００１０】
また、本発明の幾つかの態様は、タッチパネルが、接触を検知して入力を受け付けるステップと、前記タッチパネルが異なる２箇所の接触を検知した場合、前記タッチパネルが表示する画像の一部を指し示すカーソルを前記タッチパネルに表示させるステップと、をコンピュータに実行させるためのプログラムである。
【発明の効果】
【００１１】
本発明によれば、利便性を下げることなく、カーソルを表示することができる。
【図面の簡単な説明】
【００１２】
【図１】本発明の第１実施形態における携帯端末装置の外観を示した概略図である。
【図２】本発明の第１実施形態における携帯端末装置の構成を示したブロック図である。
【図３】本発明の第１実施形態におけるマルチタッチパネルの表示例と、ユーザーの操作例との関係を示した概略図である。
【図４】本発明の第１実施形態におけるマルチタッチパネルの表示例と、ユーザーの操作例との関係を示した概略図である。
【図５】本発明の第１実施形態におけるマルチタッチパネルの表示例と、ユーザーの操作例との関係を示した概略図である。
【図６】本発明の第１実施形態におけるマルチタッチパネルの表示例と、ユーザーの操作例との関係を示した概略図である。
【図７】本発明の第１実施形態における携帯端末装置がカーソルを表示する処理手順を示したフローチャートである。
【図８】本発明の第２実施形態におけるマルチタッチパネルの表示例と、ユーザーの操作例との関係を示した概略図である。
【図９】本発明の第２実施形態におけるマルチタッチパネルの表示例と、ユーザーの操作例との関係を示した概略図である。
【図１０】本発明の第２実施形態におけるマルチタッチパネルの表示例と、ユーザーの操作例との関係を示した概略図である。
【図１１】本発明の第２実施形態におけるマルチタッチパネルの表示例と、ユーザーの操作例との関係を示した概略図である。
【図１２】本発明の第２実施形態におけるマルチタッチパネルの表示例と、ユーザーの操作例との関係を示した概略図である。
【図１３】本発明の第２実施形態におけるマルチタッチパネルの表示例と、ユーザーの操作例との関係を示した概略図である。
【図１４】本発明の第２実施形態におけるマルチタッチパネルの表示例と、ユーザーの操作例との関係を示した概略図である。
【図１５】本発明の第２実施形態におけるマルチタッチパネルの表示例と、ユーザーの操作例との関係を示した概略図である。
【図１６】本発明の第２実施形態における携帯端末装置がカーソルを表示する処理手順を示したフローチャートである。
【発明を実施するための形態】
【００１３】
（第１実施形態）
以下、本発明の第１実施形態について図を参照しながら説明する。図１は、本実施形態における携帯端末装置１の外観を示した概略図である。図示する例では、携帯端末装置１の正面側には、マルチタッチパネル１０が配置されている。マルチタッチパネル１０は、表示部の一部や操作部の一部として動作する。例えば、マルチタッチパネル１０は、表示部の一部として動作し、画像や、画像の一部を指し示すカーソルなどの表示を行う。また、例えば、マルチタッチパネル１０は、操作部の一部として動作し、接触を検知して入力を受け付ける。
【００１４】
図２は、本実施形態における携帯端末装置１の構成を示したブロック図である。図示する例では、携帯端末装置１は、制御部１１と、表示部１２と、操作部１３と、アプリケーション処理部１４と、記憶部１５とを備えている。制御部１１は、例えばＣＰＵであり、記憶部１５に記憶されているプログラムを実行することによって、携帯端末装置１が備える各部の動作を制御する。表示部１２は、マルチタッチパネル１０や、表示処理を行う回路などを備え、マルチタッチパネル１０に画像やカーソルなどを表示させる。操作部１３は、マルチタッチパネル１０や、操作入力処理を行う回路などを備え、ユーザーからの操作の検出や、マルチタッチパネル１０に表示させているカーソルの位置などを算出する。アプリケーション処理部１４は、アプリケーション特有の処理を行う。記憶部１５は、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等で構成され、携帯端末装置１が備える各部の動作に必要なデータを記憶する。
【００１５】
次に、本実施形態において、携帯端末装置１がカーソルを表示し、リンクを指定する入力を受け付ける動作例について図３〜図６を参照して説明する。図３〜図６は、マルチタッチパネル１０の表示例と、ユーザーの操作例との関係を示した概略図である。図示する例では、アプリケーション処理部１４の処理に応じた「Ｗｅｂニュース」のページを、表示部１２がマルチタッチパネル１０に表示させている。具体的には、マルチタッチパネル１０には、「Ｗｅｂニュース」のページが表示されており、ニュース１〜ニュース５までのリンクが表示されている。
【００１６】
初めに、ユーザーは、図３に示すように、操作部１３として動作するマルチタッチパネル１０を操作し、左手の親指３０１と右手の人差し指３０２とで、２点のタッチ領域３０４，３０５を長押しする。なお、２点のタッチ領域３０４，３０５を長押しする方法は、左手の親指３０１と右手の人差し指３０２で２点のタッチ領域３０４，３０５を長押しする方法に限らず、どのような方法で２点のタッチ領域３０４，３０５を長押ししてもよい。
【００１７】
このとき、携帯端末装置１の操作部１３は、２点のタッチ領域３０４，３０５の長押しを検知し、図４に示すように、２点のタッチ領域３０４，３０５の中間地点の項目を指すようにカーソル３０６をマルチタッチパネル１０に表示させる。なお、カーソル３０６の表示位置は図４に示す例に限らない。例えば、携帯端末装置１の操作部１３は、２点のタッチ領域３０４，３０５のうち、後に長押しされた領域の近くの項目を指すようにカーソル３０６をマルチタッチパネル１０に表示させるようにしてもよい。
また、２点タッチされている状態で、指を離さずに移動させることで、マルチタッチパネル１０に表示させているカーソル３０６を移動させることも可能である。
【００１８】
続いて、ユーザーは、図５に示すように、カーソル３０６をタッチした後、指を離さずにカーソル３０６をドラッグし、目的のリンクを選択する位置にカーソル３０６を移動させる。このとき、携帯端末装置１の操作部１３は、ドラッグした指の移動を検知し、指の移動に応じて、マルチタッチパネル１０に表示させているカーソル３０６を移動させる。
【００１９】
続いて、ユーザーは、図６に示すように、カーソル３０６をタップし、目的のリンクを指定する。なお、ユーザーは、カーソル３０６をドラッグして移動させている場合には、一度指を離した後にカーソル３０６をタップする。このとき、携帯端末装置１の操作部１３は、タップされた位置を検知し、カーソル３０６が指しているリンクを選択する入力を受け付ける。続いて、アプリケーション処理部１４は、操作部１３が受け付けた選択入力で指定されたリンク先に画面を遷移させる。
【００２０】
なお、カーソル３０６をマルチタッチパネル１０に表示している際に、カーソル３０６以外の位置をタップされた場合、操作部１３は、カーソル３０６の表示を消すようにしてもよい。また、カーソル３０６を表示部１２に表示している際に、カーソル以外の位置をタップされた場合、操作部１３は、カーソル３０６の表示を消さないようにしてもよい。
【００２１】
次に、携帯端末装置１がカーソル３０６を表示する処理手順について説明する。図７は、本実施形態における携帯端末装置１がカーソル３０６を表示する処理手順を示したフローチャートである。なお、携帯端末装置１は、アプリケーション処理部１４がアプリケーションを起動した後に、以下の処理を実行する。
【００２２】
（ステップＳ１０１）操作部１３は、マルチタッチパネル１０の２点がタッチされているか否かを判定する。マルチタッチパネル１０の２点がタッチされていると操作部１３が判定した場合にはステップＳ１０３の処理に進み、それ以外の場合にはステップＳ１０２の処理に進む。
（ステップＳ１０２）操作部１３は、マルチタッチパネル１０のタッチされた箇所に応じた通常動作を行う。その後、ステップＳ１０１の処理に戻る。
【００２３】
（ステップＳ１０３）操作部１３は、ステップＳ１０１の処理でマルチタッチパネル１０の２点がタッチされたと判定した後、一定時間が経過する前に、タッチされた領域が移動したか否かを判定する。一定時間が経過する前に、タッチされた領域が移動したと操作部１３が判定した場合にはステップＳ１０４の処理に進み、それ以外の場合にはステップＳ１０５の処理に進む。例えば、一定時間は１秒である。なお、一定時間は１秒に限らず、どのような時間でもよい。また、一定時間は予め決められていてもよく、任意に設定できるようにしてもよい。
【００２４】
（ステップＳ１０４）操作部１３は、マルチタッチパネル１０のタッチされた２点間の移動量に応じて、ピンチインまたはピンチアウトの処理を行う。その後、ステップＳ１０１の処理に戻る。
（ステップＳ１０５）操作部１３は、マルチタッチパネル１０のタッチされた２点の位置に応じて、カーソル３０６を表示する位置を算出する。その後、ステップＳ１０６の処理に進む。例えば、操作部１３は、マルチタッチパネル１０のタッチされた２点の中央を、カーソル３０６の表示位置として算出する。また、例えば、操作部１３は、マルチタッチパネル１０のタッチされた２点のうち後にタッチされた位置を、カーソル３０６の表示位置として算出する。
【００２５】
（ステップＳ１０６）操作部１３は、ステップＳ１０５の処理で算出した表示位置に基づいて、マルチタッチパネル１０にカーソル３０６を表示させる。その後、ステップＳ１０７の処理に進む。
（ステップＳ１０７）操作部１３は、カーソル３０６の操作に基づいた処理を行う。その後、ステップＳ１０１の処理に戻る。カーソル３０６の操作に基づいた処理としては、カーソル３０６の移動処理や、カーソル３０６が指しているリンクを選択する入力を受け付ける処理である。なお、カーソル３０６の操作に基づいた処理は、上記の処理に限らず、どのような処理であってもよい。
【００２６】
上述したとおり、本実施形態によれば、操作部１３は、マルチタッチパネル１０の２点がタッチされているか否かを判定する。また、操作部１３は、マルチタッチパネル１０の２点がタッチされたと判定した後、一定時間が経過した場合、マルチタッチパネル１０にカーソル３０６を表示させる。すなわち、操作部１３は、マルチタッチパネル１０が異なる２箇所の接触を一定時間以上連続して検知した場合、マルチタッチパネル１０にカーソル３０６を表示させる。
【００２７】
これにより、ユーザーは、マルチタッチパネル１０にカーソル３０６を表示させたい場合には、マルチタッチパネル１０の２点をタッチするだけでカーソル３０６を表示させることができる。これにより、携帯端末装置１は、利便性を下げることなく、カーソル３０６をマルチタッチパネル１０に表示することができる。
【００２８】
また、本実施形態によれば、キーやマウスなど、カーソル３０６を操作するためのデバイスを用いる必要がない。また、本実施形態によれば、カーソル３０６の表示を指示するためのソフトボタンを置いたり、メニュー項目に追加したりすることが不要である。また、本実施形態によれば、タッチで項目を選択する操作と競合しない上に、スマートフォンで一般的に普及している項目の長タッチや、項目外の長タッチや、マルチタッチからのピンチイン/ピンチアウトや、フリックや、ドラッグなどの操作とも競合しないので、レイアウトによって操作可能な場所が制限されることはない。
【００２９】
項目の長タッチは、例えばコンテキストメニュー表示の操作として用いられる。また、項目外の長タッチは、例えば待ち受け画面でウィジェットを貼り付ける操作として用いられる。また、マルチタッチからのピンチイン/ピンチアウトは、例えばブラウザでのズームイン／ズームアウトの操作として用いられる。また、フリックやドラッグは、例えば画面のスクロールの操作として用いられる。
【００３０】
（第２実施形態）
次に、第２実施形態について説明する。本実施形態における携帯端末装置１の外観図は、第１実施形態における携帯端末装置１の外観図と同様である。また、本実施形態における携帯端末装置１のブロック図は第１実施形態における携帯端末装置１のブロック図と同様である。
【００３１】
本実施形態と第１実施形態とで異なる点は、本実施形態では、ユーザーがマルチタッチパネル１０の目的ではない位置をタッチした場合においても、携帯端末装置１がカーソル３０６を表示することができる点である。
【００３２】
次に、本実施形態において、携帯端末装置１がカーソルを表示し、リンクを指定する入力を受け付ける動作例について図８〜図１５を参照して説明する。図８〜図１５は、マルチタッチパネル１０の表示例と、ユーザーの操作例との関係を示した概略図である。図示する例では、アプリケーション処理部１４の処理に応じた「Ｗｅｂニュース」のページを、表示部１２がマルチタッチパネル１０に表示させている。具体的には、マルチタッチパネル１０には、「Ｗｅｂニュース」のページが表示されており、ニュース１〜ニュース５までのリンクが表示されている。
【００３３】
まず、長押し処理が実行される前に、カーソル３０６の表示処理を行う場合の動作例について、図８〜図１１を参照して説明する。図８に示す例では、ユーザーは、操作部１３として動作するマルチタッチパネル１０のうち、右手の人差し指３０２で目的ではないタッチ領域８０１をタッチしている。この場合、ユーザーがマルチタッチパネル１０から右手の人差し指３０２を離すと、タッチしている項目が選択されてしまう。また、ユーザーが右手の人差し指３０２をドラッグすると、画面がスクロールしてしまう。
【００３４】
そこで、本実施形態では、ユーザーは、カーソル３０６を表示させたい場合には、既にタッチしている１点目のタッチ領域８０１の他に、２点目をタッチする。図９に示す例では、ユーザーは、２点目として、左手の親指３０１でタッチ領域８０２をタッチしている。なお、２点のタッチ領域８０１，８０２をタッチする方法は、左手の親指３０１と右手の人差し指３０２でタッチする方法に限らず、どのような方法で２点のタッチ領域８０１，８０２をタッチしてもよい。
【００３５】
このとき、携帯端末装置１の操作部１３は、２点のタッチ領域８０１，８０２のタッチを検知し、図９に示すように、１点目のタッチ領域８０１の近くの項目を指すようにカーソル３０６をマルチタッチパネル１０に表示させる。また、携帯端末装置１の操作部１３は、１点目のタッチ領域８０１から右手の人差し指３０２が離れても、項目が選択されないように動作する。なお、カーソル３０６の表示位置は図９に示す例に限らない。例えば、携帯端末装置１の操作部１３は、２点のタッチ領域８０１，８０２の中間地点の項目を指すようにカーソル３０６をマルチタッチパネル１０に表示させるようにしてもよい。
【００３６】
続いて、ユーザーは、図１０に示すように、カーソル３０６をタッチした後、指を離さずにカーソル３０６をドラッグし、目的のリンクを選択する位置にカーソル３０６を移動させる。このとき、携帯端末装置１の操作部１３は、ドラッグした指の移動を検知し、指の移動に応じて、マルチタッチパネル１０に表示させているカーソル３０６を移動させる。
【００３７】
続いて、ユーザーは、図１１に示すように、カーソル３０６をタップし、目的のリンクを指定する。なお、ユーザーは、カーソル３０６をドラッグして移動させている場合には、一度指を離した後にカーソル３０６をタップする。このとき、携帯端末装置１の操作部１３は、タップされた位置を検知し、カーソル３０６が指しているリンクを選択する入力を受け付ける。続いて、アプリケーション処理部１４は、操作部１３が受け付けた選択入力で指定されたリンク先に画面を遷移させる。
【００３８】
なお、カーソル３０６をマルチタッチパネル１０に表示している際に、カーソル３０６以外の位置をタップされた場合、操作部１３は、カーソル３０６の表示を消すようにしてもよい。また、カーソル３０６を表示部１２に表示している際に、カーソル以外の位置をタップされた場合、操作部１３は、カーソル３０６の表示を消さないようにしてもよい。
【００３９】
次に、長押し処理が実行された後に、カーソル３０６の表示処理を行う場合の動作例について、図１２〜図１５を参照して説明する。図１２に示す例では、ユーザーは、操作部１３として動作するマルチタッチパネル１０のうち、右手の人差し指３０２で目的ではないタッチ領域８０１をタッチしている。この場合、ユーザーがマルチタッチパネル１０から右手の人差し指３０２を離すと、タッチしている項目が選択されてしまう。また、ユーザーが右手の人差し指３０２をドラッグすると、画面がスクロールしてしまう。
【００４０】
また、ユーザーが右手の人差し指３０２でタッチ領域８０１を長押しした場合、図１３に示すように、操作部１３は、長押しに対応する処理を行う。図１３に示す例では、長押しに対応する処理として、操作部１３はマルチタッチパネル１０にコンテキストメニュー１３０１を表示させている。なお、長押しに対応する処理は、コンテキストメニュー１３０１の表示に限らず、どのような処理であってもよい。
【００４１】
そこで、本実施形態では、ユーザーは、カーソル３０６を表示させたい場合には、既にタッチしている１点目のタッチ領域８０１の他に、２点目をタッチする。図１４に示す例では、ユーザーは、２点目として、左手の親指３０１でタッチ領域８０２をタッチしている。なお、２点のタッチ領域８０１，８０２をタッチする方法は、左手の親指３０１と右手の人差し指３０２でタッチする方法に限らず、どのような方法で２点のタッチ領域８０１，８０２をタッチしてもよい。
【００４２】
このとき、携帯端末装置１の操作部１３は、２点のタッチ領域８０１，８０２のタッチを検知し、図１５に示すように、コンテキストメニュー１３０１の表示を消去する。また、携帯端末装置１の操作部１３は、１点目のタッチ領域８０１の近くの項目を指すようにカーソル３０６をマルチタッチパネル１０に表示させる。また、携帯端末装置１の操作部１３は、１点目のタッチ領域８０１から右手の人差し指３０２が離れても、項目が選択されないように動作する。なお、カーソル３０６の表示位置は図１５に示す例に限らない。例えば、携帯端末装置１の操作部１３は、２点のタッチ領域８０１，８０２の中間地点の項目を指すようにカーソル３０６をマルチタッチパネル１０に表示させるようにしてもよい。
【００４３】
操作部１３がマルチタッチパネル１０にカーソル３０６を表示させた後の動作は、図１０，１１に示した動作と同様である。
【００４４】
次に、携帯端末装置１がカーソル３０６を表示する処理手順について説明する。図１６は、本実施形態における携帯端末装置１がカーソル３０６を表示する処理手順を示したフローチャートである。なお、携帯端末装置１は、アプリケーション処理部１４がアプリケーションを起動した後に、以下の処理を実行する。
【００４５】
（ステップＳ２０１）操作部１３は、マルチタッチパネル１０の１点目がタッチされたか否かを判定する。マルチタッチパネル１０の１点目がタッチされたと操作部１３が判定した場合にはステップＳ２０２の処理に進み、それ以外の場合にはステップＳ２０１の処理を再度実行する。
【００４６】
（ステップＳ２０２）操作部１３は、１点目がタッチされている状態であり、タッチされた場所は長押しに対応する処理を行う部分、かつ、長押しとみなす時間が経過したか否かを判定する。１点目がタッチされている状態であり、タッチされた場所は長押しに対応する処理を行う部分、かつ、長押しとみなす時間が経過したと操作部１３が判定した場合にはステップＳ２０３の処理に進み、それ以外の場合にはステップＳ２０４の処理に進む。
【００４７】
（ステップＳ２０３）操作部１３は、長押しに対応する動作を行う。その後、ステップＳ２０４の処理に進む。長押しに対応する動作としては、例えば、コンテキストメニューをマルチタッチパネル１０に表示させる動作である。なお、長押しに対応する動作は、コンテキストメニューの表示に限らず、どのような動作であってもよい。
【００４８】
（ステップＳ２０４）操作部１３は、１点目がタッチされている状態であり、マルチタッチパネル１０の２点目がタッチされたか否かを判定する。１点目がタッチされている状態であり、マルチタッチパネル１０の２点目がタッチされたと操作部１３が判定した場合にはステップＳ２０５の処理に進み、それ以外の場合にはステップＳ２０２の処理に戻る。
【００４９】
（ステップＳ２０５）操作部１３は、１点目のタッチで行われた処理がある場合、１点目のタッチで行った処理をキャンセルする。その後、ステップＳ２０６の処理に進む。１点目のタッチで行われた処理としては、例えば、１点目が長押しされた場合に行うコンテキストメニュー１３０１の表示処理である。例えば、操作部１３は、１点目のタッチ（長押し）でコンテキストメニュー１３０１の表示処理を行った場合、コンテキストメニュー１３０１の表示を消去する。
【００５０】
ステップＳ２０６〜ステップＳ２０８の処理は、第１の実施形態におけるステップＳ１０５〜ステップＳ１０７の処理と同様である。
【００５１】
上述したとおり、本実施形態によれば、操作部１３は、マルチタッチパネル１０の１点目がタッチされた状態で、２点目がタッチされたか否かを判定する。また、操作部１３は、マルチタッチパネル１０の１点目がタッチされた状態で、２点目がタッチされたと判定した場合、マルチタッチパネル１０にカーソル３０６を表示させる。すなわち、操作部１３は、マルチタッチパネル１０が１箇所の接触を検知した後、当該箇所の接触を検知した状態で、他の１箇所の接触を検知した場合、カーソル３０６をマルチタッチパネル１０に表示させる。
【００５２】
これにより、ユーザーは、マルチタッチパネル１０の１点目をタッチした後に、カーソル３０６を表示させたい場合には、マルチタッチパネル１０の２点目をタッチするだけでカーソル３０６を表示させることができる。これにより、携帯端末装置１は、利便性を下げることなく、カーソル３０６をマルチタッチパネル１０に表示することができる。
【００５３】
なお、上述した実施形態における携帯端末装置１が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００５４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５５】
以上、この発明の第１の実施形態および第２の実施形態について図面を参照して詳述してきたが、具体的な構成はこの実施形態に限られるものではなく、この発明の要旨を逸脱しない範囲の設計等も含まれる。
【００５６】
例えば、上述した実施形態では、ユーザーはマルチタッチパネル１０を操作する際に、左手の親指３０１と右手の人差し指３０２とで操作しているが、これに限らず、どのように操作してもよい。
【００５７】
（１）画像を表示し、接触を検知して入力を受け付けるタッチパネルと、前記タッチパネルが異なる２箇所の接触を検知した場合、前記タッチパネルが表示する前記画像の一部を指し示すカーソルを前記タッチパネルに表示させる操作部と、を備えることを特徴とする携帯端末装置。
【００５８】
（２）前記操作部は、前記タッチパネルが異なる２箇所の接触を一定時間以上連続して検知した場合、前記カーソルを前記タッチパネルに表示させることを特徴とする（１）に記載の携帯端末装置。
【００５９】
（３）前記操作部は、前記タッチパネルが１箇所の接触を検知した後、当該箇所の接触を検知した状態で、他の１箇所の接触を検知した場合、前記カーソルを前記タッチパネルに表示させることを特徴とする（１）に記載の携帯端末装置。
【００６０】
（４）タッチパネルが、接触を検知して入力を受け付けるステップと、前記タッチパネルが異なる２箇所の接触を検知した場合、前記タッチパネルが表示する画像の一部を指し示すカーソルを前記タッチパネルに表示させるステップと、を含むことを特徴とする表示方法。
【００６１】
（５）タッチパネルが、接触を検知して入力を受け付けるステップと、前記タッチパネルが異なる２箇所の接触を検知した場合、前記タッチパネルが表示する画像の一部を指し示すカーソルを前記タッチパネルに表示させるステップと、をコンピュータに実行させるためのプログラム。
【符号の説明】
【００６２】
１・・・携帯端末装置、１０・・・マルチタッチパネル、１１・・・制御部、１２・・・表示部、１３・・・操作部、１４・・・アプリケーション処理部、１５・・・記憶部、３０１・・・左手の親指、３０２・・・右手の人差し指、３０４，３０５，８０１，８０２・・・タッチ領域、３０６・・・カーソル、１３０１・・・コンテキストメニュー
【図１】
2015153239.tif 000003
【図２】
2015153239.tif 000004
【図３】
2015153239.tif 000005
【図４】
2015153239.tif 000006
【図５】
2015153239.tif 000007
【図６】
2015153239.tif 000008
【図７】
2015153239.tif 000009
【図８】
2015153239.tif 000010
【図９】
2015153239.tif 000011
【図１０】
2015153239.tif 000012
【図１１】
2015153239.tif 000013
【図１２】
2015153239.tif 000014
【図１３】
2015153239.tif 000015
【図１４】
2015153239.tif 000016
【図１５】
2015153239.tif 000017
【図１６】
2015153239.tif 000018